【事件の表示】
　上記当事者間の特許第３１０１６４６号発明「遊技機」の特許無効審判事件について、次のとおり審決する。
【結　論】
　訂正を認める。
　本件審判の請求は、成り立たない。
　審判費用は、請求人の負担とする。
【理　由】
第１．手続の経緯  
 　 
　本件特許の経緯概要は以下のとおりである。 
 　 
平成　７年　６月１２日　本件出願（特願平７−１４４９９２号）
平成１０年　９月　７日　審査請求
平成１２年　７月２８日　特許査定 
平成１２年　８月１８日　設定登録（特許第３１０１６４６号）
平成１３年　４月２３日　特許異議申立
平成１４年　１月１５日　訂正請求
平成１４年　３月１２日　異議決定（訂正認容・特許維持）
　
平成２１年　７月　１日　無効審判請求
平成２１年１０月１３日　答弁書・訂正請求（被請求人） 
平成２１年１１月２５日　弁駁書（請求人） 
平成２２年　４月　９日　口頭審理陳述要領書（被請求人）
　　　　同　　上　　　　口頭審理陳述要領書（請求人）
　　　　同　　上　　　　口頭審理
　　　　同　　上　　　　審理終結通知（口頭審理にて告知）　
 　 
第２．本件審判事件にかかる両当事者の主張 
　
　請求人と被請求人の主張は以下のとおりである。なお，以下において，訂正前の請求項とは，平成１４年１月１５日付けの訂正請求に基づく請求項を，訂正後の請求項とは，平成２１年１０月１３日付けの訂正請求に基づく請求項を，それぞれ指す。
　　
１．請求人の主張 
　
　請求人は，平成２１年７月１日付けの審判請求書において，「特許第３１０１６４６号の特許を無効とする。審判費用は被請求人の負担とする。との審決を求め」（請求の趣旨），以下の理由により，本件特許発明（訂正前の請求項１〜４）は特許を受けることができないものであるから，特許法１２３条１項の規定により無効にされるべきである旨主張し，証拠方法として甲第１〜５号証を提出した。 
　
【無効理由１】
　本件特許発明（訂正前の請求項１〜４）は，「技術的思想の創作」ではなく，産業上利用することができる発明には該当しないのであって，特許法２９条１項柱書きの要件を満たしておらず，無効にされるべきである。
　なお，平成２２年４月９日の口頭審理において，請求人の主張する２９条１項柱書きに関する無効理由は，本件（訂正）発明は，一定の目的を達成することができないから「技術的思想」でないというものであることが確認された。
　
【無効理由２】
　本件特許発明（訂正前の請求項１〜４）は，甲第３号証に記載された発明に甲第４号証に記載の発明を組み合わせることで，当業者が容易に成し得たものであり，特許法２９条２項により無効とされるべきものである。
　
甲第１号証：平成１４年１月１５日付けの訂正請求書の写し
甲第２号証：平成１４年３月１２日付けの異議決定謄本の写し
甲第３号証：特開平７−６８０２７号公報
甲第４号証：特開平３−７３１８０号公報
甲第５号証：特許庁編集の「特許・実用新案審査基準」（社団法人発明協会　　　　　　発行）の抜粋
　
　そして，被請求人の平成２１年１０月１３日付け訂正請求を受けて，平成２１年１１月２５日付け弁駁書において，該訂正請求は訂正要件違反であって認められないものである旨主張し，訂正が認められるとしても，審判請求書で申し立てた無効理由１，２は解消していない旨主張している。 
　更に，平成２２年４月９日付け口頭審理陳述要領書において，参考資料１，２を提出すると共に，訂正が違法である旨主張し，訂正が認められるとしても，審判請求書で申し立てた無効理由１，２は解消していない旨主張している。
参考資料１：実開平１−６５０８３号のマイクロフィルム
参考資料２：平成２０年（行ケ）第１０２７９号判決　
　
２．被請求人の主張 
 　 
　被請求人は，平成２１年１０月１３日付けで答弁書を提出し，「本件無効審判の請求は成り立たない，審判費用は請求人の負担とする，との審決を求め」（答弁の趣旨），同日付けの訂正請求に基づく請求項１，２に係る発明（「本件訂正発明」という。）を技術的思想の創作でないとする請求人の主張には理由がなく，本件訂正発明は甲第３号証に記載の発明に甲第４号証に記載された発明を組み合わせることで当業者が容易に成し得たものではない旨，主張している。　
　さらに，平成２２年４月９日付け口頭審理陳述要領書において，平成２１年１０月１３日付けの訂正請求は認められるべきとした上で，請求人の主張している無効理由は理由がない旨，主張している。 
　
第３．被請求人による訂正請求について  
　
１．訂正請求の内容 
　
　平成２１年１０月１３日付けの訂正請求（以下「本件訂正請求」という。）は，平成１４年１月１５日付けの訂正請求に基づく本件特許第３１０１６４６号の明細書（以下，「特許明細書」という。）を，本件訂正請求書に添付した明細書によって訂正しようとするものであって，次の事項を訂正内容とするものである。 
　
・訂正事項１ 
　特許請求の範囲の【請求項１】の「前記可変表示装置を可変開始させた後，表示結果を導出表示させる制御を行なう可変表示制御手段」を「所定の始動条件の成立を条件として前記可変表示装置を可変開始させた後，表示結果を導出表示させる可変表示制御を行なう手段であって，前記始動条件が成立しても直ちに可変表示を開始できないときに前記可変表示を開始できるまで前記始動条件の成立を記憶し前記可変表示を開始できる状態になったときに記憶している前記始動条件の記憶数だけ前記可変表示制御を行なう可変表示制御手段」と訂正する。 
・訂正事項２ 
　特許請求の範囲の【請求項１】の「前記表示結果内容事前決定手段により表示結果内容を特定の表示態様に相当する・・・予告報知する予告報知手段」を「前記表示結果内容事前決定手段により表示結果内容を特定の表示態様に相当するものにする当り決定が行なわれた場合に，該特定の表示態様が表示結果として導出表示される予定となっている回の可変表示以前の段階から，前記特定の表示態様が表示されることを遊技者に予め定められた複数の報知態様のいずれかにて予告報知する予告報知手段」と訂正する。 
・訂正事項３ 
　特許請求の範囲の【請求項１】の「該予告報知手段は，前記表示結果内容事前決定手段により」を「該予告報知手段は，複数のテーブル各々のデータを予告用乱数により検索する検索処理を行なうことにより前記複数の報知態様および報知しないことを含む複数の選択肢のいずれか１つを選択するとともに，前記複数のテーブルは，前記表示結果内容事前決定手段により前記当り決定が行なわれたときに前記複数の報知態様についての選択割合が異なるように設定された，前記始動条件の記憶数が所定数以上となっていることを条件に参照されるテーブルと前記始動条件の記憶数が前記所定数未満となっていることを条件に参照されるテーブルとを含み，前記複数のテーブルを使用した前記検索処理の結果，前記複数の報知態様のいずれか１つを選択したときに該報知態様での報知を行なうとともに，前記表示結果内容事前決定手段により」と訂正する。 
・訂正事項４ 
　特許請求の範囲の【請求項１】の「表示結果内容を前記特定の表示態様に相当しないものにする・・・予告報知を行なわないことを特徴とする」を「表示結果内容を前記特定の表示態様に相当しないものにする外れ決定が行なわれた場合であっても前記検索処理の結果ある確率で前記複数の報知態様のいずれかによる予告報知と同様の報知を行ない，前記表示結果内容事前決定手段により前記当り決定が行なわれた場合であっても前記検索処理の結果ある確率で前記複数の報知態様のいずれかによる予告報知を行なわないことを特徴とする」と訂正する。 
・訂正事項５
　特許請求の範囲の【請求項２】を削除する。　
・記載事項６
　特許請求の範囲の【請求項３】を【請求項２】に訂正するとともに，「前記予告報知手段は，複数の報知態様を選択的に用いて前記予告報知または前記予告報知と同様の報知を行なうことが可能であり，報知態様によって，前記特定の表示態様が表示結果として表示される信頼度に差をつけたことを特徴とする，請求項１または２に記載の遊技機。」を「前記予告報知手段は，前記検索処理の結果選択された報知態様によって，前記特定の表示態様が表示結果として表示される信頼度に差をつけたことを特徴とする，請求項１に記載の遊技機。」と訂正する。 
　（審決注：訂正請求書３頁における訂正事項６に関する訂正前の記載については誤記があったため，上記のように正しく記載した。）
・訂正事項７
　特許請求の範囲の【請求項４】を削除する。
・訂正事項８
　明細書の【０００７】の「請求項１に記載の本発明は，表示状態が変化可能な可変表示装置を有する遊技機であって，・・・予告報知を行わないことを特徴とする。」を「請求項１に記載の本発明は，表示状態が変化可能な可変表示装置を有する遊技機であって，
　所定の始動条件の成立を条件として前記可変表示装置を可変開始させた後，表示結果を導出表示させる可変表示制御を行なう手段であって，前記始動条件が成立しても直ちに可変表示を開始できないときに前記可変表示を開始できるまで前記始動条件の成立を記憶し前記可変表示を開始できる状態になったときに記憶している前記始動条件の記憶数だけ前記可変表示制御を行なう可変表示制御手段と，
　前記可変表示装置の表示結果内容を該可変表示装置が可変開始する以前の段階から予め決定しておく表示結果内容事前決定手段と，
　前記表示結果内容事前決定手段により表示結果内容を特定の表示態様に相当するものにする当り決定が行なわれた場合に，該特定の表示態様が表示結果として導出表示される予定となっている回の可変表示以前の段階から，前記特定の表示態様が表示されることを遊技者に予め定められた複数の報知態様のいずれかにて予告報知する予告報知手段とを含み，
　該予告報知手段は，
　　複数のテーブル各々のデータを予告用乱数により検索する検索処理を行なうことにより前記複数の報知態様および報知しないことを含む複数の選択肢のいずれか１つを選択するとともに，前記複数のテーブルは，前記表示結果内容事前決定手段により前記当り決定が行なわれたときに前記複数の報知態様についての選択割合が異なるように設定された，前記始動条件の記憶数が所定数以上となっていることを条件に参照されるテーブルと前記始動条件の記憶数が前記所定数未満となっていることを条件に参照されるテーブルとを含み，前記複数のテーブルを使用した前記検索処理の結果，前記複数の報知態様のいずれか１つを選択したときに該報知態様での報知を行なうとともに，
　　前記表示結果内容事前決定手段により表示結果内容を前記特定の表示態様に相当しないものにする外れ決定が行なわれた場合であっても前記検索処理の結果ある確率で前記複数の報知態様のいずれかによる予告報知と同様の報知を行ない，前記表示結果内容事前決定手段により前記当り決定が行なわれた場合であっても前記検索処理の結果ある確率で前記複数の報知態様のいずれかによる予告報知を行なわないことを特徴とする。」と訂正する。
・訂正事項９ 
　明細書の【０００８】の「請求項２に記載の本発明は，請求項１に記載の発明の構成に加えて，・・・リーチ表示が行なわれる確率よりも高くすることを特徴とする。」を「請求項２に記載の本発明は，請求項１に記載の発明の構成に加えて，前記予告報知手段は，前記検索処理の結果選択された報知態様によって，前記特定の表示態様が表示結果として表示される信頼度に差をつけたことを特徴とする。」と訂正する。 
・訂正事項１０ 
　明細書の【０００９】の「請求項１に記載の本発明によれば，・・・予告報知を行わない。」を「請求項１に記載の本発明によれば，所定の始動条件の成立を条件として可変表示装置が可変開始された後，表示結果を導出表示させる可変表示制御を行なう可変表示制御手段手段の働きにより，始動条件が成立しても直ちに可変表示を開始できないときに可変表示を開始できるまで始動条件の成立を記憶し可変表示を開始できる状態になったときに記憶している始動条件の記憶数だけ可変表示制御が行なわれる。表示結果内容事前決定手段の働きにより，可変表示装置の表示結果内容がその可変表示装置の可変開始以前の段階から予め決定される。予告報知手段の働きにより，表示結果内容事前決定手段により表示結果内容を特定の表示態様に相当するものにする当り決定が行なわれた場合に，特定の表示態様が表示結果として導出表示される予定となっている回の可変表示以前の段階から，特定の表示態様が表示されることが遊技者に予め定められた複数の報知態様のいずれかにて予告報知される。予告報知手段のさらなる働きにより，複数のテーブル各々のデータを予告用乱数により検索する検索処理を行なうことにより複数の報知態様および報知しないことを含む複数の選択肢のいずれか１つが選択されるとともに，前記複数のテーブルは，表示結果内容事前決定手段により当り決定が行なわれたときに複数の報知態様についての選択割合が異なるように設定された，始動条件の記憶数が所定数以上となっていることを条件に参照されるテーブルと始動条件の記憶数が所定数未満となっていることを条件に参照されるテーブルとを含み，前記複数のテーブルを使用した検索処理の結果，複数の報知態様のいずれか１つを選択したときに該報知態様での報知を行なわれるとともに，複数の報知態様のいずれかによる予告報知と同様の報知が，表示結果内容事前決定手段により表示結果内容を特定の表示態様に相当しないものにする外れ決定がなされた場合にも前記検索処理の結果ある確率で行われる。このため，特定の表示態様が導出表示される予定の場合に限らず，特定の表示態様が導出表示されない予定の場合にも，ある確率で報知が行なわれる。したがって，その報知が行なわれる頻度が高くなる。さらに，表示結果内容事前決定手段により当り決定が行なわれた場合であっても前記検索処理の結果ある確率で前記複数の報知態様のいずれかによる予告報知を行なわない。」と訂正する。
・訂正事項１１
　明細書の【００１０】の「請求項２に記載の本発明によれば，・・・リーチ表示が行なわれる確率よりも高くされる。」を「請求項２に記載の本発明によれば，請求項１に記載の発明の作用に加えて，次のように作用する。予告報知手段のさらなる働きにより，前記検索処理の結果選択された報知態様によって，特定の表示態様が表示結果として表示される信頼度に差がつけられる。」と訂正する。
・訂正事項１２
　明細書の【０１４７】の「請求項１に記載の本発明によれば，・・・報知が行なわれる頻度が高くなる。」を「請求項１に記載の本発明によれば，特定の表示態様が表示結果として導出表示される予定となっている回の可変表示以前の段階から，特定の表示態様が表示されることが複数の報知態様のいずれかにて遊技者に予告報知される。その複数の報知態様のいずれかによる予告報知と同様の報知が，特定の表示態様が表示結果として導出表示されない予定となっている場合であっても前記検索結果の結果ある確率で行なわれるため，報知が行なわれる頻度が高くなる。」と訂正する。 
・訂正事項１３
　明細書の【０１４８】を削除する。
　
２．訂正の適否に対する判断
　
　上記訂正のうち，訂正事項１は新規事項を含む訂正であり，訂正事項２〜４は訂正の結果本件訂正発明の構成を不明瞭にするものであって訂正目的に違反する訂正であるとの主張が請求人からなされたものである。
　
（１）訂正事項１について　　
　訂正事項１は，可変表示装置の可変開始について（Ａ）「所定の始動条件の成立を条件として」との限定を付し，「表示結果を導出表示させる制御」を（Ｂ）「表示結果を導出表示させる可変表示制御」と表現するとともに，その「可変表示制御」を（Ｃ）「前記始動条件が成立しても直ちに可変表示を開始できないときに前記可変表示を開始できるまで前記始動条件の成立を記憶し前記可変表示を開始できる状態になったときに記憶している前記始動条件の記憶数だけ」行なうと限定するものである。（以下，記載の簡略化のため，（Ａ）〜（Ｃ）をあわせて「始動条件の記憶数に関する構成」という。）
　そして，特許明細書の【０００１】には「本発明は，たとえばパチンコ遊技機やコイン遊技機あるいはスロットマシン等で代表される遊技機に関し，詳しくは，表示状態が変化可能な可変表示装置を有し，該可変表示装置の表示結果が予め定められた特定の表示態様になった場合に，所定の遊技価値が付与可能となる遊技機に関する。」と記載されており，同【００１１】には「【実施例】以下に，本発明の実施例を図面に基づいて詳細に説明する。なお，以下の実施例においては，遊技機の一例としてパチンコ遊技機を示すが，本発明はこれに限らず，たとえばコイン遊技機やスロットマシン等であってもよく，表示状態が変化可能な可変表示部を有する可変表示装置を含み，前記可変表示部により表示される複数の表示結果が予め複数種類定められた特定の表示態様のうちのいずれかになった場合に所定の遊技価値が付与可能となる遊技機であれば，すべてに適用することが可能である。」と記載した上で，その「実施例」として，同【００１４】には「始動口９に入賞した始動入賞玉は始動入賞玉検出器２１により検出され，その検出出力に基づいて可変表示装置４が可変開始される。」と記載されており，同【００１９】には「可変表示装置４が可変表示中に打玉が再度始動口９に入賞して始動玉検出器２１により検出されれば，その始動入賞玉が記憶され，可変表示装置４が可変停止した後，再度可変開始可能な状態になってから前記始動記憶入賞記憶に基づいて可変表示装置４が再度可変開始される。この始動入賞記憶の上限は，たとえば「４」と定められている。」と記載されている。
　そうすると，特許明細書には，遊技機において「始動条件の記憶数に関する構成」を具備する発明が記載されていることは明らかであるから，遊技機において「始動条件の記憶数に関する構成」を限定する訂正事項１は特許明細書に記載された事項の範囲内において訂正を行うものであり，新規事項を追加するものではない。
　したがって，訂正事項１は，特許明細書に記載された事項内において特許請求の範囲を減縮するものであって，実質上特許請求の範囲を拡張又は変更するものではない。
　
（２）訂正事項２〜４について
（ア）請求人は，口頭審理陳述要領書第５頁第９〜１６行において，「弁駁書５頁１８〜２１行において，「本件訂正発明では構成ｅの「予告報知手段」が，当りの場合に，構成ｅ１のように報知するとともに，構成ｅ２のように報知しないというのであるが，当りの場合に報知することと（構成ｅ１）と，報知しないこと（構成ｅ２）との関係が意味不明となっている。」としたが，「本件訂正発明では構成ｄの「予告報知手段」が，当りの場合に，構成ｄのように報知するとともに，構成ｅ２のように報知しないというのであるが，当りの場合に報知することと（構成ｄ）と，報知しないこと（構成ｅ２）との関係が意味不明となっている。」の誤記である。」としている。そこで，訂正事項２〜４による訂正の結果本件訂正発明が不明瞭となるか検討する。
　訂正事項２〜４の訂正によれば，本件訂正発明は，
「ｄ．前記表示結果内容事前決定手段により表示結果内容を特定の表示態様に相当するものにする当り決定が行なわれた場合に，該特定の表示態様が表示結果として導出表示される予定となっている回の可変表示以前の段階から，前記特定の表示態様が表示されることを遊技者に予め定められた複数の報知態様のいずれかにて予告報知する予告報知手段とを含み，
ｅ．該予告報知手段は，
ｅ１．複数のテーブル各々のデータを予告用乱数により検索する検索処理を行なうことにより前記複数の報知態様および報知しないことを含む複数の選択肢のいずれか１つを選択するとともに，前記複数のテーブルは，前記表示結果内容事前決定手段により前記当り決定が行なわれたときに前記複数の報知態様についての選択割合が異なるように設定された，前記始動条件の記憶数が所定数以上となっていることを条件に参照されるテーブルと前記始動条件の記憶数が前記所定数未満となっていることを条件に参照されるテーブルとを含み，前記複数のテーブルを使用した前記検索処理の結果，前記複数の報知態様のいずれか１つを選択したときに該報知態様での報知を行なうとともに，
ｅ２．前記表示結果内容事前決定手段により表示結果内容を前記特定の表示態様に相当しないものにする外れ決定が行なわれた場合であっても前記検索処理の結果ある確率で前記複数の報知態様のいずれかによる予告報知と同様の報知を行ない，前記表示結果内容事前決定手段により前記当り決定が行なわれた場合であっても前記検索処理の結果ある確率で前記複数の報知態様のいずれかによる予告報知を行なわない」
との構成を含むものとなる（分説は弁駁書におけるものを採用した。）。
　ここで，構成ｄは，これより前に記載されている「可変表示制御手段」，「表示結果内容事前決定手段」とともに「予告報知手段」が遊技機に含まれるものであることを記載したものであり，その「予告報知手段」が「当り決定が行なわれた場合に，該特定の表示態様が表示結果として導出表示される予定となっている回の可変表示以前の段階から，前記特定の表示態様が表示されることを遊技者に予め定められた複数の報知態様のいずれかにて予告報知する」ものであることを総括的に記載したものであり，この構成を前提として，構成ｅ１及び構成ｅ２で「予告報知」をより具体的に限定したものと解するのが，文脈からみて至当である。
　そうすると，構成ｄにおいて，「当り決定が行なわれた場合に，・・予告報知する」とされていても，これは「必ず」予告報知するものとされているものでなく，総括的に記載したものに過ぎないから，構成ｅ２における「当り決定が行なわれた場合であっても前記検索処理の結果ある確率で前記複数の報知態様のいずれかによる予告報知を行なわない」と矛盾するものでない。そして，当りの場合に報知しないことは「ある確率」で行われるから請求人の主張のように「当りの場合に報知することと，報知しないこととの関係が意味不明である」ということはできない。
　また，構成ｅ２によれば「外れ決定が行なわれた場合であっても前記検索処理の結果ある確率で前記複数の報知態様のいずれかによる予告報知と同様の報知を行な」うものであるが，外れの場合に報知しないことは「ある確率」で行われるから請求人の主張のように「予告報知手段とは何でもかんでも報知するものということになって「予告報知」の意味が不明なものとなっている」ということはできない。
　以上のとおり，訂正事項２〜４による訂正の結果本件訂正発明が不明瞭となるということはできず，訂正の目的に違反するものであるとすることはできない。
　
（イ）訂正事項２は，「表示結果内容を特定の表示態様に相当するものにする決定」を（Ａ）「表示結果内容を特定の表示態様に相当するものにする当り決定」と限定し，「適宜の報知態様」を（Ｂ）「予め定められた複数の報知態様のいずれか」と限定するものである。
　そして，特許明細書の【００１６】には「この可変表示装置４が可変停止された状態で，識別情報が，予め定められた特定の識別情報の組合せ（たとえば７７７）となり，表示結果が予め定められた特定の表示態様となった場合には，特定遊技状態が発生して可変入賞球装置１０が第１の状態に制御されて所定の遊技価値が付与可能な大当り状態となる。」と記載されているから，上記限定（Ａ）は特許明細書に実質的に記載されたものである。また，特許明細書の【００９１】には「大当り予告の報知が，音，キャラクタ，音およびキャラクタの３種類のいずれかにより行なわれる。音による予告報知は，音出力装置５２によって行なわれ，キャラクタによる予告報知は，可変表示装置４によって行なわれる。」と記載されているから，上記限定（Ｂ）は特許明細書に実質的に記載されたものである。
　そうすると，訂正事項２は，特許明細書に記載された事項内において特許請求の範囲を減縮するものであって，実質上特許請求の範囲を拡張又は変更するものではない。
　
（ウ）訂正事項３は，予告報知手段について「複数のテーブル各々のデータを予告用乱数により検索する検索処理を行なうことにより前記複数の報知態様および報知しないことを含む複数の選択肢のいずれか１つを選択するとともに，前記複数のテーブルは，前記表示結果内容事前決定手段により前記当り決定が行なわれたときに前記複数の報知態様についての選択割合が異なるように設定された，前記始動条件の記憶数が所定数以上となっていることを条件に参照されるテーブルと前記始動条件の記憶数が前記所定数未満となっていることを条件に参照されるテーブルとを含み，前記複数のテーブルを使用した前記検索処理の結果，前記複数の報知態様のいずれか１つを選択したときに該報知態様での報知を行なう」との限定を付加するものである。
　そして，特許明細書の【００９５】には「図１４は，大当り予告テーブルの内容を示す説明図である。この図１４に示される大当り予告テーブルにおいては，各種の遊技状態ごとにＣ  ＲＮＤ  ＹＯＫの抽出値と，大当り予告の報知方法との関係が予め定められている。」と記載され，同【００９６】には「詳しくは次のとおりである。遊技状態は，大当りが事前決定されていない遊技状態（図中「大当り以外」），大当りが事前決定されておりかつ始動入賞記憶数が２以上である遊技状態（図中「大当り・始動記憶２以上」），および大当りが事前決定されておりかつ始動入賞記憶数が１以下の遊技状態（図中「大当り・始動記憶１以下」）の３種類に分類されている。」と記載され，同【００９７】には「「大当り以外」の場合は，Ｃ  ＲＮＤ  ＹＯＫの抽出値と，「報知方法」との関係が以下のように定められている。抽出値が「０」〜「３」である場合には，音による大当り予告の報知を行なう。抽出値が「５００」〜「５０３」である場合には，キャラクタによる偽りの大当り予告の報知を行なう。抽出値が「８００」である場合には，音およびキャラクタの両方による偽りの大当り予告の報知を行なう。抽出値が「４」〜「４９９」，「５０４」〜「７９９」，「８０１」〜「８９９」の場合には，偽りの大当り予告の報知をしない。」と記載され，同【００９８】には「遊技状態が「大当り・始動記憶２以上」である場合には，Ｃ  ＲＮＤ  ＹＯＫとの抽出値，「報知方法」との関係が以下のように定められている。抽出値が「０」〜「９９」の場合には，音による真の大当り予告の報知を行なう。抽出値が「１００」〜「１９９」の場合には，キャラクタによる真の大当り予告の報知を行なう。抽出値が「２００」〜「４４９」の場合には，音およびキャラクタの両方による真の大当り予告の報知を行なう。抽出値が「４５０」〜「８９９」の場合には，大当り予告の報知をしない。」と記載され，同【００９９】には「遊技状態が「大当り・始動記憶１以下」の場合には，Ｃ  ＲＮＤ  ＹＯＫと，「報知方法」との関係が以下のように定められている。抽出値が「０」〜「２２４」の場合には，音による真の大当り予告の報知を行なう。抽出値が「２２５」〜「４４９」の場合には，キャラクタによる真の大当り予告の報知を行なう。抽出値が「４５０」〜「８９９」の場合には，大当り予告の報知をしない。」と記載され，同【０１０４】には「ステップＳＡ２で始動入賞記憶中に大当りがないと判断された場合には，後述するＳＡ８に進む。一方，ＳＡ２で始動入賞記憶中に大当りがあると判断された場合には，ＳＡ３に進み，始動入賞記憶後に抽出されたＣ  ＲＮＤ  ＹＯＫの値に基づき，図１４の大当り予告テーブルを参照する。その際には，遊技状態およびＣ  ＲＮＤ  ＹＯＫの抽出値に応じた報知方法が大当り予告テーブルを用いて決定される。」と記載され，同【０１０６】には「始動入賞記憶中に大当りが事前決定されたものがない場合に実行されるＳＡ８では，偽りの大当り予告を行なうか否かの判断がなされる。具体的には，図１４の大当り予告テーブルの「大当り以外」の遊技状態の場合において，Ｃ  ＲＮＤ　ＹＯＫの抽出値が，「０」〜「３」，「５００」〜「５０３」および「８００」のい���れかに該当するか否かの判断がなされる。ＳＡ８で偽りの大当り予告を行なうと判断された場合には，ＳＡ５に進む。」と記載されている。これら各記載及び図１４，１５によれば，訂正事項３に係る限定は特許明細書に実質的に記載されたものである。
　そうすると，訂正事項３は，特許明細書に記載された事項内において特許請求の範囲を減縮するものであって，実質上特許請求の範囲を拡張又は変更するものではない。
　
（エ）訂正事項４は，訂正事項２で「表示結果内容を特定の表示態様に相当するものにする決定」を「表示結果内容を特定の表示態様に相当するものにする当り決定」と表現したことと整合をとるため，「表示結果内容を前記特定の表示態様に相当しないものにする決定」を（Ａ）「表示結果内容を前記特定の表示態様に相当しないものにする外れ決定」と表現し，「表示結果内容を前記特定の表示態様に相当するものにする決定」を（Ｂ）「前記当り決定」とし，外れ決定が行なわれた場合であっても前記報知態様による予告報知と同様の報知をある確率で行うこと，及び当り決定が行われた場合であっても予告報知をある確率で行わないことが（Ｃ）「検索処理の結果」で決定されることを限定するものであり，「適宜の報知態様」を（Ｄ）「前記複数の報知態様のいずれか」と限定するものである。
　そして，上記（Ａ），（Ｂ）とする訂正は単なる表現上の訂正であって，実質的に内容を変更するものでない。また，上記（Ｃ）は，上記（ウ）にて摘記した特許明細書【００９７】〜【００９９】，【０１０４】，【０１０６】の各記載及び図１４，１５によれば，特許明細書に実質的に記載されたものである。更に，上記（イ）で示した如く，上記（Ｄ）は特許明細書の【００９１】の記載によれば，特許明細書に実質的に記載されたものである。
　そうすると，訂正事項４は，特許明細書に記載された事項内において特許請求の範囲を減縮するものであって，実質上特許請求の範囲を拡張又は変更するものではない。
　
（３）訂正事項５，７について
　訂正事項５，７に係る訂正は請求項を削除するものであって，特許請求の範囲の減縮に該当する。
　
（４）訂正事項６について
　訂正事項６は，訂正事項５によって【請求項２】が削除されることにともなって【請求項３】を【請求項２】に訂正するとともに，訂正前の「複数の報知態様を選択的に用いて前記予告報知または前記予告報知と同様の報知を行なうこと」の内容が【請求項１】に繰り上げられたことにともなって当該記載を削除し，「報知態様によって」を「前記検索処理の結果選択された報知態様によって」と限定するものである。
　そうすると，訂正事項６は，特許明細書に記載された事項内において特許請求の範囲を減縮するものであって，実質上特許請求の範囲を拡張又は変更するものではない。
　
（５）訂正事項８〜１３について
　訂正事項８〜１３は，訂正事項１〜７との整合をとるため，発明の詳細な説明を訂正するものであって，明りょうでない記載の釈明である。
　
　３．むすび
　
　以上のとおりであるから，平成２１年１０月１３日付けの訂正は，特許請求の範囲の減縮，明りょうでない記載の釈明を目的とし，いずれも願書に添付した明細書又は図面に記載されている事項の範囲内のものであり，実質上特許請求の範囲を拡張し，又は変更するものでない。
　したがって，上記訂正は，平成６年法律１１６号附則６条１項の規定によりなお従前のものとされた同法による改正前の特許法１３４条２項ただし書に適合し，特許法１３４条の２第５項において準用する同改正前の１２６条２項の規定に適合するので，当該訂正を認める。
 　 
第４．本件特許発明 
 　 
　上記のとおり訂正を認めるので，本件特許発明は，本件訂正により訂正された明細書（以下，「訂正明細書」という。）及び図面の記載からみて，その特許請求の範囲の請求項１及び請求項２に記載された次のとおりのもの（以下，「本件特許発明１」及び「本件特許発明２」という。）と認める。 
「　【請求項１】　表示状態が変化可能な可変表示装置を有する遊技機であって，
　所定の始動条件の成立を条件として前記可変表示装置を可変開始させた後，表示結果を導出表示させる可変表示制御を行なう手段であって，前記始動条件が成立しても直ちに可変表示を開始できないときに前記可変表示を開始できるまで前記始動条件の成立を記憶し前記可変表示を開始できる状態になったときに記憶している前記始動条件の記憶数だけ前記可変表示制御を行なう可変表示制御手段と，
　前記可変表示装置の表示結果内容を該可変表示装置が可変開始する以前の段階から予め決定しておく表示結果内容事前決定手段と，
　前記表示結果内容事前決定手段により表示結果内容を特定の表示態様に相当するものにする当り決定が行なわれた場合に，該特定の表示態様が表示結果として導出表示される予定となっている回の可変表示以前の段階から，前記特定の表示態様が表示されることを遊技者に予め定められた複数の報知態様のいずれかにて予告報知する予告報知手段とを含み，
　該予告報知手段は，
　　複数のテーブル各々のデータを予告用乱数により検索する検索処理を行なうことにより前記複数の報知態様および報知しないことを含む複数の選択肢のいずれか１つを選択するとともに，前記複数のテーブルは，前記表示結果内容事前決定手段により前記当り決定が行なわれたときに前記複数の報知態様についての選択割合が異なるように設定された，前記始動条件の記憶数が所定数以上となっていることを条件に参照されるテーブルと前記始動条件の記憶数が前記所定数未満となっていることを条件に参照されるテーブルとを含み，前記複数のテーブルを使用した前記検索処理の結果，前記複数の報知態様のいずれか１つを選択したときに該報知態様での報知を行なうとともに，
　　前記表示結果内容事前決定手段により表示結果内容を前記特定の表示態様に相当しないものにする外れ決定が行なわれた場合であっても前記検索処理の結果ある確率で前記複数の報知態様のいずれかによる予告報知と同様の報知を行ない，前記表示結果内容事前決定手段により前記当り決定が行なわれた場合であっても前記検索処理の結果ある確率で前記複数の報知態様のいずれかによる予告報知を行なわないことを特徴とする，遊技機。
　　【請求項２】　前記予告報知手段は，前記検索処理の結果選択された報知態様によって，前記特定の表示態様が表示結果として表示される信頼度に差をつけたことを特徴とする，請求項１に記載の遊技機。」
　
第５．本件特許発明にかかる検討 
 　 
１．無効理由１について（特許法２９条１項柱書き）
　
（１）請求人の主張
　請求人は，本件特許発明１及び２は，予告報知が行われるときには「当り決定」と「外れ決定」が存在しており，「予告報知」や偽りの報知の確率が明確にされていない以上，「当り」及び「外れ」がそれぞれどの程度の確率で出現するのかという有用な情報が遊技者に提供されることにならず，当りでも外れでも何等かの報知する技術手段が一定の特有の技術的効果を奏し得るものではない旨，本件特許発明１及び２における「予告報知手段」は何の技術的効果も奏するものではないから，具体的課題を解決したものではなく，本件特許発明１及び２は技術的思想の創作に当たらず，特許法２９条１項柱書きに違反するものである旨主張している（口頭審理陳述要領書７頁）ので，以下に検討する。なお，本件特許発明１及び２が自然法則を利用したものである点については，当事者間に争いはない。
　
（２）特許法２条１項所定の発明の意義　
　特許法２条１項には，「この法律で「発明」とは，自然法則を利用した技術的思想の創作のうち高度のものをいう。」と規定され，同法２９条１項柱書には，「産業上利用することができる発明をしたものは，次に掲げる発明を除き，その発明について特許を受けることができる。」と規定されている。したがって，特許出願に係る発明が「自然法則を利用した技術的思想の創作」でないときは，その発明は特許法２９条１項柱書に規定する要件を満たしておらず，特許を受けることができない。
　ところで，「技術的思想」の「技術」については，「技術は一定の目的を達成するための具体的手段であって実際に利用できるもので，技能とは異なって他人に伝達できる客観性を持つものである」（最高裁判所昭和５２年１０月１３日第１小法廷判決・判例タイムス３３５号２６５頁）ことが必要とされるものと認められるから，「技術的思想」というためには「一定の目的を達成するための具体的手段」であることが必要と解される。
　
（３）訂正明細書の記載及び本件特許発明の内容
ア．訂正明細書の「発明の詳細な説明」欄には，図面とともに，以下の記載がある。
（ア）【従来の技術】
「この種の遊技機において，従来から一般的に知られているものに，たとえば，図柄等からなる複数種類の識別情報を可変表示可能な可変表示装置が設けられ，その可変表示装置が可変開始された後，停止制御される等して表示結果が導出表示され，その表示結果が予め定められた特定の表示態様（たとえば７７７）になった場合に，所定の遊技価値が付与可能となるように構成されたものがあった。
　しかし，この種の従来の遊技機においては，可変表示装置により予め定められた特定の表示態様が何の前兆もなく表示されるため，可変表示装置の可変表示の表示結果が導出表示される以前から遊技者の期待感を盛り上げることがあまりできず，せっかく可変表示装置を設けたにもかかわらずその可変表示装置の面白さを十分に演出できないという欠点を有していた。」（【０００２】，【０００３】）
（イ）【発明が解決しようとする課題】
「前述したような従来の遊技機の欠点を解決するためには，次のような機能を有する遊技機を構成することが考えられる。すなわち，可変表示装置の表示結果内容を可変表示装置が可変開始する以前の段階から事前決定しておき，その事前決定された表示結果内容が特定の表示態様に相当するものである場合に，その特定の表示態様が表示される以前の段階から，特定の表示態様が表示されることを予告報知する機能を遊技機に付加することである。
　しかし，そのような予告報知を行なう遊技機には，次のような不都合が生じると考えられる。特定の表示態様を表示することが事前決定された場合にのみ予告報知を行なうため，予告報知がなされる頻度が低い。このような理由により，前述のような予告報知を行なう遊技機においては，遊技者の遊技意欲を向上させることが困難になる可能性がある。
　本発明は，係る実情に鑑み考え出されたものであって，遊技者の遊技意欲を損なわせることなく，可変表示装置による可変表示の面白さを十分に演出し，遊技者の期待感および興趣をより一層向上させることのできる遊技機を提供することである。」（【０００４】，【０００５】，【０００６】）
（ウ）【課題を解決するための手段】
「請求項１に記載の本発明は，表示状態が変化可能な可変表示装置を有する遊技機であって，
　所定の始動条件の成立を条件として前記可変表示装置を可変開始させた後，表示結果を導出表示させる可変表示制御を行なう手段であって，前記始動条件が成立しても直ちに可変表示を開始できないときに前記可変表示を開始できるまで前記始動条件の成立を記憶し前記可変表示を開始できる状態になったときに記憶している前記始動条件の記憶数だけ前記可変表示制御を行なう可変表示制御手段と，
　前記可変表示装置の表示結果内容を該可変表示装置が可変開始する以前の段階から予め決定しておく表示結果内容事前決定手段と，
　前記表示結果内容事前決定手段により表示結果内容を特定の表示態様に相当するものにする当り決定が行なわれた場合に，該特定の表示態様が表示結果として導出表示される予定となっている回の可変表示以前の段階から，前記特定の表示態様が表示されることを遊技者に予め定められた複数の報知態様のいずれかにて予告報知する予告報知手段とを含み，
　該予告報知手段は，
　　複数のテーブル各々のデータを予告用乱数により検索する検索処理を行なうことにより前記複数の報知態様および報知しないことを含む複数の選択肢のいずれか１つを選択するとともに，前記複数のテーブルは，前記表示結果内容事前決定手段により前記当り決定が行なわれたときに前記複数の報知態様についての選択割合が異なるように設定された，前記始動条件の記憶数が所定数以上となっていることを条件に参照されるテーブルと前記始動条件の記憶数が前記所定数未満となっていることを条件に参照されるテーブルとを含み，前記複数のテーブルを使用した前記検索処理の結果，前記複数の報知態様のいずれか１つを選択したときに該報知態様での報知を行なうとともに，
　　前記表示結果内容事前決定手段により表示結果内容を前記特定の表示態様に相当しないものにする外れ決定が行なわれた場合であっても前記検索処理の結果ある確率で前記複数の報知態様のいずれかによる予告報知と同様の報知を行ない，前記表示結果内容事前決定手段により前記当り決定が行なわれた場合であっても前記検索処理の結果ある確率で前記複数の報知態様のいずれかによる予告報知を行なわないことを特徴とする。
　請求項２に記載の本発明は，請求項１に記載の発明の構成に加えて，前記予告報知手段は，前記検索処理の結果選択された報知態様によって，前記特定の表示態様が表示結果として表示される信頼度に差をつけたことを特徴とする。」（【０００７】，【０００８】）
（エ）【作用】
「請求項１に記載の本発明によれば，所定の始動条件の成立を条件として可変表示装置が可変開始された後，表示結果を導出表示させる可変表示制御を行なう可変表示制御手段手段の働きにより，始動条件が成立しても直ちに可変表示を開始できないときに可変表示を開始できるまで始動条件の成立を記憶し可変表示を開始できる状態になったときに記憶している始動条件の記憶数だけ可変表示制御を行なわれる。表示結果内容事前決定手段の働きにより，可変表示装置の表示結果内容がその可変表示装置の可変開始以前の段階から予め決定される。予告報知手段の働きにより，表示結果内容事前決定手段により表示結果内容を特定の表示態様に相当するものにする当り決定が行なわれた場合に，特定の表示態様が表示結果として導出表示される予定となっている回の可変表示以前の段階から，特定の表示態様が表示されることが遊技者に予め定められた複数の報知態様のいずれかにて予告報知される。予告報知手段のさらなる働きにより，複数のテーブル各々のデータを予告用乱数により検索する検索処理を行なうことにより複数の報知態様および報知しないことを含む複数の選択肢のいずれか１つが選択されるとともに，前記複数のテーブルは，表示結果内容事前決定手段により当り決定が行なわれたときに複数の報知態様についての選択割合が異なるように設定された，始動条件の記憶数が所定数以上となっていることを条件に参照されるテーブルと始動条件の記憶数が所定数未満となっていることを条件に参照されるテーブルとを含み，前記複数のテーブルを使用した検索処理の結果，複数の報知態様のいずれか１つを選択したときに該報知態様での報知が行なわれるとともに，複数の報知態様のいずれかによる予告報知と同様の報知が，表示結果内容事前決定手段により表示結果内容を特定の表示態様に相当しないものにする外れ決定がなされた場合にも前記検索処理の結果ある確率で行われる。このため，特定の表示態様が導出表示される予定の場合に限らず，特定の表示態様が導出表示されない予定の場合にも，ある確率で報知が行なわれる。したがって，その報知が行なわれる頻度が高くなる。さらに，表示結果内容事前決定手段により当り決定が行なわれた場合であっても前記検索処理の結果ある確率で前記複数の報知態様のいずれかによる予告報知を行なわない。
　請求項２に記載の本発明によれば，請求項１に記載の発明の作用に加えて，次のように作用する。予告報知手段のさらなる働きにより，前記検索処理の結果選択された報知態様によって，特定の表示態様が表示結果として表示される信頼度に差がつけられる。」（【０００９】【００１０】）
（オ）【実施例】
「このように，大当り予告処理が行なわれることにより，次のような効果が得られる。遊技者は，大当り予告が実行されることにより，大当りが発生することを予感することができる。このため，大当りが発生する以前の可変表示の段階から大当りの発生に対する遊技者の期待感を高めることができる。さらに，大当りを発生させることが事前に決定されていない場合にも予告報知がある確率で行なわれるため，真の大当り予告および偽りの大当り予告を含めた大当り予告報知がなされる頻度が高くなる。その結果，遊技者の遊技に対する意欲を向上させることができる。このため，遊技者の興趣を向上させることができる。
　また，次のような効果も得られる。すなわち，大当り予告報知としてキャラクタ等による予告報知を行なう場合に，単に，真の大当り予告の報知のみを行なうこととすれば，大当りの予告報知がない場合には始動入賞記憶中に大当りを発生させることが事前決定されているものがないということを遊技者に知られてしまうというおそれがある。これに対し，この実施例では，大当りを発生させることが事前決定されている場合でも大当り予告の報知がなされない場合がある（図１４参照）。したがって，この実施例の場合には，大当り予告の報知がなされなくても大当りが発生する場合があるため，始動入賞記憶中に大当りを発生させることが事前決定されているものがないということを遊技者に知られることを防ぐことができる。その結果，遊技者の遊技に対する意欲を損なわせないようにすることができる。」（【０１１１】，【０１１２】）
（カ）【効果】
「請求項１に記載の本発明によれば，特定の表示態様が表示結果として導出表示される予定となっている回の可変表示以前の段階から，特定の表示態様が表示されることが複数の報知態様のいずれかにて遊技者に予告報知される。その複数の報知態様のいずれかによる予告報知と同様の報知が，特定の表示態様が表示結果として導出表示されない予定となっている場合であっても前記検索結果の結果ある確率で行なわれるため，報知が行なわれる頻度が高くなる。このため，遊技者の遊技意欲を低下させることなく，遊技者の期待感を高めることができ，可変表示の面白さを十分に演出し遊技者の期待感および興趣をより一層向上させることができる遊技機を提供し得るに至った。」（【０１４７】）
　
イ．本件特許発明の内容
　本件特許発明は「第４．本件特許発明」において認定したとおりのものであるが，本件特許発明１の予告報知手段に関する構成を概略的に整理すれば以下のとおりである。
　Ａ．当り決定が行われた場合に，ある確率で予告報知する。
　Ｂ．当り決定が行われた場合であっても，ある確率で予告報知を行わない。
　Ｃ．外れ決定が行われた場合であっても，ある確率で予告報知する。
　Ｄ．外れ決定が行われた場合に，ある確率で予告報知を行わない。
　なお，上記Ａ，Ｄの「ある確率で」は請求項１に明記されたものではないが，これは，予告報知手段が「複数のテーブル各々のデータを予告用乱数により検索する検索処理を行なうことにより前記複数の報知態様および報知しないことを含む複数の選択肢のいずれか１つを選択する」ものであり，「前記複数のテーブルを使用した前記検索処理の結果，前記複数の報知態様のいずれか１つを選択したときに該報知態様での報知を行なう」ものである点から，自明である。
　また，上記Ａ，Ｂにおける「予告報知」は「特定の表示態様が表示されること」を予告報知するもので，上記Ｃ，Ｄにおける「予告報知」は当り決定が行われた場合における「複数の報知態様のいずれかによる予告報知」と「同様の報知」を行うことである。したがって，上記Ａ〜Ｄにおける「予告報知」は，結果的に外れることがあっても，「特定の表示態様が表示されること」を予告報知するものである点で共通している。
　
（４）特許法２条１項所定の「発明」への該当性について
　本件特許発明１は，「可変表示装置により予め定められた特定の表示態様が何の前兆もなく表示されるため，可変表示装置の可変表示の表示結果が導出表示される以前から遊技者の期待感を盛り上げることがあまりできず，せっかく可変表示装置を設けたにもかかわらずその可変表示装置の面白さを十分に演出できない」という従来の技術の欠点を解決すべく，「事前決定された表示結果内容が特定の表示態様に相当するものである場合に，その特定の表示態様が表示される以前の段階から，特定の表示態様が表示されることを予告報知する機能を遊技機に付加する」ものであるが，それだけでは「特定の表示態様を表示することが事前決定された場合にのみ予告報知を行なうため，予告報知がなされる頻度が低い」ため，上記Ｃの如く外れ決定が行われた場合でもある確率で予告報知をすることとして，予告報知が行なわれる頻度を高くしたものである。このため，「遊技者の遊技意欲を低下させることなく，遊技者の期待感を高めることができ，可変表示の面白さを十分に演出し遊技者の期待感および興趣をより一層向上させることができる」（【０１４７】）という訂正明細書記載の効果を本件特許発明１が奏するものである。
　更に，大当り決定が行われた場合に必ず予告報知するとすれば，「大当りの予告報知がない場合には始動入賞記憶中に大当りを発生させることが事前決定されているものがないということを遊技者に知られてしまうというおそれがある」ため，上記Ａ，Ｂの如く当り決定が行われた場合であっても大当り予告の報知がなされない場合があることとすれば，「大当り予告の報知がなされなくても大当りが発生する場合があるため，始動入賞記憶中に大当りを発生させることが事前決定されているものがないということを遊技者に知られることを防ぐことができる」ものである。このため，「遊技者の遊技に対する意欲を損なわせないようにすることができる。」（【０１１１】，【０１１２】）という訂正明細書記載の効果を本件特許発明１が奏するものである。
　以上のとおり，本件特許発明１は，一定の効果を反復継続して実現でき，一定の目的を達成することができるものであるから，「一定の目的を達成するための具体的手段」であって「技術的思想」に該当するものである。
　したがって，本件特許発明１は，「自然法則を利用した技術的思想の創作」であり，「発明」に該当する。
　
　更に，本件特許発明２は，本件特許発明１に限定を付したものであるから，「自然法則を利用した技術的思想の創作」であり，「発明」に該当する。
　
　なお，請求人は「「予告報知」や偽りの報知の確率が明確にされていない以上，「当り」及び「外れ」がそれぞれどの程度の確率で出現するのかという有用な情報が遊技者に提供されることにならず，当りでも外れでも何等かの報知する技術手段が一定の特有の技術的効果を奏し得るものではない」と主張しているが，「ある確率」で予告報知が行われる本件特許発明１が一定の目的効果を奏するものであることは前述の通りである。
　確かに，特許請求の範囲の記載には「確率」がどのような確率であるかは限定されていない。しかし，当該確率の設定は，予告報知が行われた場合にどれくらい大当りになるかの割合（いわゆる，「期待度」，「信頼度」）を決定するものであって，具体的に発明を実施する（遊技機の製造）段階で演出上の効果を考慮しつつ適宜決定すればいいことであり，上記のような一定の目的効果を奏するために不可欠なものとすることはできない。
　
（５）小括
　したがって，本件特許発明１，２は，「自然法則を利用した技術的思想の創作」であり，特許法２９条１項柱書きの規定に違反するものとすることはできず，無効理由１は理由がない。　
　
２．無効理由２について（特許法２９条２項）
　
　請求人は，本件特許発明は，甲第３号証に記載された発明に甲第４号証に記載の発明を組み合わせることで，当業者が容易に成し得たものであり，特許法２９条２項により無効とされるべきものである，と主張するので，検討する。
　
（１）甲第３，４号証の記載事項 
　甲第３号証には，以下の事項が記載されている。 
・「表示状態が変化して複数種類の表示態様を表示結果として導出表示可能な可変表示装置を含み，該可変表示装置の表示結果が予め定められた特定の表示態様となった場合に所定の遊技価値が付与可能となる遊技機であって，
前記可変表示装置の表示結果の表示態様を決定する表示態様決定手段と，
該表示態様決定手段により決定された内容に従って前記可変表示装置を制御する可変表示制御手段と，
前記表示態様決定手段により決定された表示結果が前記特定の表示態様となる場合に，特定の表示態様となる前に報知するか否かを選択決定する選択決定手段と，
該選択決定手段により報知する旨が決定された場合に，特定の表示態様となる旨を前記可変表示装置の表示結果が導出される前に報知する報知手段とを含むことを特徴とする，遊技機。」（【請求項１】）
・「遊技領域３は，動画を表示可能なＬＣＤ表示装置５からなる可変表示装置４が設けられているとともに，始動入賞口７が設けられている。この始動入賞口７内に入賞したパチンコ玉は，始動入賞玉検出器８により検出される。」（【０００９】）
・「始動入賞玉検出器８の検出信号に基づき，可変表示装置４のＬＣＤ表示装置５により複数種類の図柄等からなる識別情報が可変表示される。ＬＣＤ表示装置５は横方向に並んだ３つの可変表示部を有し，後述するように，左図柄，中図柄，右図柄がスクロール表示される。そして，その可変表示の表示結果が予め定められた特定の表示態様（たとえば７７７等のぞろめ）となった場合に可変入賞球装置９の開閉板１０が開成して打玉が入賞しやすい遊技者にとって有利な第１の状態となり，所定の遊技価値が付与可能な状態となる。」（【００１０】）
・「可変表示装置４が可変表示中に再度パチンコ玉が始動入賞口７に入賞すれば，その始動入賞が記憶され，可変表示装置４が可変停止した後再度可変表示開始できる状態になってから前記始動入賞記憶に基づいて再度可変表示装置４が可変開始される。この始動入賞記憶の上限値はたとえば「４」と定められており，現時点における始動入賞記憶値が始動入賞記憶表示器６により表示される。」（【００１３】）
・「図３は，パチンコ遊技機における主として可変表示装置の制御動作を示すフローチャートである。」（【００１８】）
・「ステップＳ（以下単にＳという）１により，ランダム１カウンタのカウント値を読出す処理が行なわれる。このランダム１カウンタは，大当りを発生させるか否かを事前に決定するために用いられるカウンタであり，０から１ずつカウントアップしてその上限である２０９までカウントアップした後再度０からカウントアップし直すものである。そして，パチンコ玉が始動入賞口７に入賞して始動入賞玉検出器８からの検出信号が導出された時点におけるランダム１カウンタのカウント値が抽出されてメモリ内に記憶される。このメモリは，始動入賞記憶の上限がたとえば「４」である場合には，それに合わせて４つのカウント値記憶領域を有し，始動入賞の古い順に抽出されたカウント値が抽出順序に従って記憶される。そして，メモリ内の１番古いカウント値がこのＳ１により読出される。その読出されたカウント値（乱数）が，３のときにはＳ２以降に示す大当りを発生させるための制御がなされ，３以外のときにはＳ１６以降に示す外れとなる制御が行なわれる。」（【００１９】）
・「Ｓ２では，ランダム２カウンタのカウント値における可変表示装置の左図柄を決定する値に合わせて，左図柄＝中図柄＝右図柄とする処理が行なわれる。ランダム２カウンタは，０からカウントアップしてその上限である１５進数のＥＥＥまでカウントアップした後再度０からカウントアップし直すものであり，可変表示装置４の停止図柄を決定するものである。そしてＳ２の処理により，ランダム２カウンタの左図柄用のカウント値部分により左図柄を決定し，その決定された左図柄と同じ図柄になるように中図柄と右図柄を揃える処理が行なわれる。その結果，可変表示装置４の可変停止時においては，左図柄と中図柄と右図柄とが同じ図柄となりぞろめの状態となり，大当り状態が発生する。次にＳ３に進み，ランダム３カウンタのカウント値を読出す処理が行なわれる。このランダム３カウンタは，０からカウントアップしてその上限である２までカウントアップした後再度０からカウントアップし直すものである。そして，読出されたカウント値が０のときにＳ４に進み，大当り予告１を行なうためのフラグがセットされる。ランダム３カウンタの値が１のときにはＳ５に進み，リーチ予告を行なうためのフラグがセットされる。リーチとは，複数の可変表示部が時期を異ならせて停止される場合に，一部の可変表示部が未だ可変表示している段階で既に停止している可変表示部の表示結果が大当りとなる特定の表示態様の条件を満たしている状態である。ランダム３カウンタの値が２のときにはＳ６に進み，予告なしの状態となり，直接Ｓ１１に進む。Ｓ４，Ｓ５の処理が行なわれた後にＳ７に進み，ランダム４カウンタのカウント値が読出される。このランダム４カウンタは０からカウントアップしてその上限である２までカウントアップした後再度０からカウントアップし直すものである。そしてその読出されたカウント値が０のときにはＳ８に進み，音，ランプ，ＬＥＤを制御する処理が行なわれる。このＳ８の処理を行なうに際し，前記Ｓ４により大当り予告１を行なうためのフラグがセットされている場合には，レール飾りランプ２１と飾りＬＥＤ４１とを可変表示装置の可変開始時から点滅させ，スピーカ３７から大当り予告音を発生させ，大当り状態が発生することを事前に予告報知し，Ｓ５によるリーチ予告のフラグがセットされている場合は飾りＬＥＤ４１を可変開始時から点滅させるとともにスピーカ３７からリーチ予告音を発生する。一方，ランダム４カウンタの値が１のときには，Ｓ９に進み，可変表示装置４のＬＣＤ表示装置５の表示動作制御を行ない，ＬＣＤ表示装置５により大当り状態やリーチが発生することを事前に予告表示させる。このＳ９による表示動作の具体的内容は，Ｓ４による大当り予告１のフラグがセットされているときには，図４，図５のそれぞれの（Ｂ）に示された表示動作であり，Ｓ５によるリーチ予告のフラグがセットされている場合は，図４，図５のそれぞれの（Ａ）に示された表示動作である。一方，ランダム４カウンタの値が２のときには，Ｓ１０に進み，ラッキーナンバー表示ＬＥＤを変動制御させる処理が行なわれる。このＳ１０による処理は，ラッキーナンバー表示ＬＥＤ２０をＬＣＤ表示装置５の可変開始時から変動させ，大当りが発生して可変入賞球装置９の初回の開放時にその可変表示を停止させることにより，大当り状態が発生することを遊技者に認識させるようにしている。このラッキーナンバー表示ＬＥＤ２０は，大当り発生の予告表示を行なわない通常時では，大当りの発生時に変動を開始し，可変入賞球装置９の初回の開放時に停止するように制御されており，Ｓ１０によるラッキーナンバー表示ＬＥＤ２０の表示動作が通常時の表示動作と異なるため，遊技者は，大当りが発生することが認識できる。このラッキーナンバー表示ＬＥＤの変動が停止した後に表示される停止ナンバーは，０から７までをカウントするランダム６カウンタのカウント値が大当り発生時に抽出されてその抽出されたカウント値（乱数）により決定される。」（【００２０】）
・「Ｓ１１ではランダム５カウンタのカウント値が読出される。このランダム５カウンタは，０からカウントアップしてその上限である５までカウントアップした後再度０からカウントアップし直すものである。ランダム５カウンタのカウント値が０のときにＳ１２に進み，ＬＣＤ表示装置５の表示状態を制御して図６（Ａ）に基づいて後述する通常リーチの制御が行なわれる。ランダム５カウンタのカウント値が１または２のときには，ＬＣＤ表示装置５を表示制御して図６（Ｂ）に基づいて後述する特別リーチ１の表示制御が行なわれる。ランダム５カウンタのカウント値が３，４，あるいは５のときには，Ｓ１４に進み，ＬＣＤ表示装置５を制御して図６（Ｃ）に基づいて後述する特別リーチ２の表示制御が行なわれる。次にＳ１５に進み，可変入賞球装置９を第１の状態にする大当り制御が行なわれる。」（【００２１】）
・「次に，Ｓ１により読出されたランダム１カウンタのカウント値が３以外のときには，Ｓ１６に進み，ランダム２カウンタのカウント値を読出し，その読出されたランダム２カウンタのカウント値が，左図柄のカウント値と中図柄のカウント値と右図柄のカウント値とがすべて同じ値であった場合には，中図柄のカウント値に対し「１」を加算し，中図柄を強制的にずらしてぞろめとならないように制御される。これは，ランダム１カウンタのカウント値が３以外の場合すなわち外れとすることが事前に決定された場合であるにも関わらず，ランダム２カウンタのカウント値がたまたま左図柄と中図柄と右図柄とが同じ図柄となるぞろめ状態であり，そのままでは大当りが発生する特定の表示態様となってしまうために，Ｓ１７によりぞろめが生じないように強制的に中図柄をずらしているのである。一方，ランダム２カウンタの値が左図柄と右図柄とが同じで中図柄だけ違う値であった場合には，そのままＳ１８に進み，メモリ内のランダム１カウンタの値をチェックする処理が行なわれる。このメモリ内のランダム１カウンタの値とは，前記Ｓ１で説明したメモリに対応して古い順に記憶されているランダム１カウンタの値のことである。そして，記憶されているランダム１カウンタの値の中に「３」があるとき，すなわち，可変表示装置４の今回の可変表示が終了した以降の可変表示により大当りが発生する場合には，Ｓ１９に進み，ランダム３カウンタのカウント値を読出す処理が行なわれる。このランダム３カウンタは０からカウントアップしてその上限である２までカウントアップした後再度０からカウントアップし直すものである。そしてランダム３カウンタのカウント値が０のときにＳ２１に進み，大当り予告２を行なうためのフラグがセットされてＳ２５に進む。一方，ランダム３カウンタの値が１のときにはＳ２２に進み，リーチ予告を行なうためのフラグがセットされてＳ２５に進む。ランダム３カウンタの値が２のときにはＳ２３に進み，予告なしの状態となり直接Ｓ２９に進む。」（【００２２】）
・「Ｓ２５では，ランダム４カウンタの値を読出し，その値が０のときにＳ２６に進み，音，ランプ，ＬＥＤを制御する処理が行なわれる。このＳ２６の処理は，大当り予告２を行なうためのフラグがセットされている場合には，レール飾りランプ２１を可変表示装置の可変開始時から点滅させ，スピーカ３７から大当り予告音を発生させ，Ｓ２２によるリーチ予告のフラグがセットされているときは，飾りＬＥＤ４１を可変開始時から点滅させてスピーカ３７からリーチ予告音を発生させる。一方ランダム４カウンタの値が１のときには，Ｓ２７に進み，大当り予告２のフラグがセットされている場合には図４，図５のそれぞれの（Ｃ）に基づいて後述する大当り予告２のときのＬＣＤ表示装置５の表示動作を行ない，リーチ予告のフラグがセットされている場合には，図４，図５のそれぞれの（Ａ）に基づいて後述するリーチ予告時のＬＣＤ表示装置５の表示動作制御を行なう。次に，ランダム４カウンタのカウント値が２のときには，Ｓ２８に進み，ラッキーナンバー表示ＬＥＤ２０をＬＣＤ表示装置の可変開始時から変動させ，ＬＣＤ表示装置５の可変停止時にラッキーナンバー表示ＬＥＤ２０の変動開始時と同じ位置に停止させる処理が行なわれる。」（【００２３】）
・「一方，Ｓ１８により読出されたメモリ内のランダム１カウンタの値の中に「３」がないときには，Ｓ２２により，ランダム３カウンタの値を読出し，その値が０または１のときにはＳ２４に進み，リーチ予告を行なうためのフラグがセットされてＳ２５に進む。一方，ランダム３カウンタの値が２のときにはＳ２３に進み，予告なしの状態となり直接Ｓ２９に進む。」（【００２４】）
・「Ｓ２９では，ランダム５カウンタの値を読出す処理が行なわれる。ランダム５カウンタの値が０，１あるいは２のときにはＳ３０に進み，図６（Ａ）に基づいて説明する通常リーチの制御が行なわれた後Ｓ４１に進む。ランダム５カウンタのカウント値が３あるいは４のときには，Ｓ３１に進み，図６（Ｂ）に基づいて説明する特別リーチ１の表示制御が行なわれた後Ｓ４１に進む。ランダム５カウンタの値が５のときにＳ３２に進み，図６（Ｃ）に基づいて説明する特別リーチ２の表示制御が行なわれた後Ｓ４１に進む。Ｓ４１では，可変入賞球装置９を開成させない外れ制御が行なわれる。」（【００２５】）
・「一方，Ｓ１６により読出されたランダム２カウンタの値の左と右の図柄の値が一致しない場合にはＳ３３に進み，メモリ内のランダム１カウンタのチェックがなされ，メモリ内に３が記憶されていないときにはそのままＳ４１に進むが，メモリ内に３が記憶されている場合にはＳ３４に進み，ランダム３カウンタの値を読出し，その値が０あるいは１のときにＳ３５に進み，大当り予告２を行なうためのフラグがセットされた後Ｓ３６に進む。一方，ランダム３カウンタの値が２のときにＳ４０に進み，予告なしの状態となり直接Ｓ４１に進む。」（【００２６】）
・「Ｓ３６では，ランダム４カウンタの値を読出す処理が行なわれる。そして，そのランダム４カウンタの値が０のときにはＳ３７に進み，音，ランプ，ＬＥＤの制御がなされる。このＳ３７の制御は，前記Ｓ２６と同様の制御である。ランダム４カウンタの値が１のときにＳ３８に進み，ＬＣＤ表示装置５を制御して図４，図５のそれぞれの（Ｃ）に基づいて後述する大当り予告２の表示制御が行なわれる。ランダム４カウンタの値が２のときにＳ３９に進み，前記Ｓ２８と同様のラッキーナンバー表示ＬＥＤの変動制御が行なわれ，Ｓ４１に進む。」（【００２７】）
・「前述した大当りの事前報知やリーチの事前報知は，ランプ，ＬＥＤによる報知のみ，あるいは音による報知のみで行なってもよい。また，ＬＣＤ表示装置５の表示動作による事前報知に加えて，音による報知やランプ，ＬＥＤによる報知を行なうようにしてもよい。また，事前報知の方法は，通常時とは異なった態様で報知し通常時とは区別できる方法であれば，どのような方法であってもよい。」（【００２８】）
・「（Ｂ）は大当り予告１を行なう場合が示されており，ＬＣＤ表示装置５によりすべての図柄５１，５２，５３が可変表示されている最中に，「フィーバー！」のメッセージ５５を表示させ，次に通常の可変表示に戻り左図柄５１，右図柄５２，中図柄５３の順に停止する。」（【００３８】）
・「（Ｃ）は大当り予告２を行なう場合が示されており，ＬＣＤ表示装置５によりすべての図柄５１，５２，５３が可変表示されている最中に，「チャンス！」のメッセージ５６が表示され，次に通常の可変表示に戻り，左図柄５１，右図柄５２，中図柄５３の順に停止する。」（【００３９】）
・「また，以上説明した実施例においては，事前報知の内容として，リーチおよび大当りの両方を報知するものを示したが，大当りのみを事前報知するものであってもよい。また，大当りのみの事前報知を行なう場合には，すべての図柄の可変表示を同時に停止させてもよい。さらに，可変表示装置の種類はどのようなものであってもよく，たとえば，ＣＲＴ，プラズマ，ドットマトリクスＬＥＤ，エレクトロルミネセンス，蛍光表示管等の表示装置を利用したもの，あるいは，回転ドラム式や表面に複数種類の図柄が描かれたベルトを回転移動させるものや複数種類の図柄が描かれた円盤を回転させるもの（ロタミント）等の機械式のものであってもよい。さらに，ボクシングの映像表示を行ない，遊技者側のボクサーが勝てば大当りを発生させるものであってもよい。つまり，可変表示は識別情報のスクロール表示あるいは切換表示に限られず，さらに可変表示装置の表示結果が導出表示された後においても引続き表示状態が変化するものであってもよい。また，可変表示装置を利用した事前報知の方法はどのようなものであってもよく，たとえば，逆回転，可変開始時からスロー回転，点滅表示，画面が一瞬ＯＦＦになるもの，画面の明暗が反転するもの，表示図柄の形状や大きさが変形するものであってもよい。」（【００４９】）
　
  甲第４号証には，以下の事項が記載されている。
・「複数種類の識別情報を可変表示可能な可変表示装置と，
　前記可変表示装置の可変表示を開始するための予め定められた開始条件が成立したことに基づいて開始指令信号を発生する開始指令信号発生手段と，
　前記可変表示装置の可変表示を停止するための予め定められた停止条件が成立したことに基づいて停止指令信号を発生する停止指令信号発生手段と，
　前記可変表示装置の停止時の価値内容を該可変表示装置の数回前の可変表示の段階から予め決定しておくための価値内容事前決定手段と，
　前記開始指令信号発生手段の開始指令信号に基づいて前記可変表示装置を可変表示させるとともに，前記停止指令信号発生手段の停止指令信号に基づいて前記可変表示を停止制御し，停止時の識別情報が前記価値内容事前決定手段により決定された価値内容に従ったものになるように表示制御する可変表示制御手段と，
　前記可変表示装置の停止時の表示結果が予め定められた特定の識別情報になったことに基づいて所定の遊技価値を付与する遊技価値付与手段と，
　前記価値内容事前決定手段により決定された価値内容が前記予め定められた特定の識別情報に対応するものであることを判別する特定識別情報判別手段と，
　少なくとも前記特定識別情報判別手段の判別出力に基づいて，該特定の識別情報が表示される予定となっている回の可変表示の開始以前に，前記特定の識別情報が表示されることを遊技者に事前に報知するための前兆報知手段とを含むことを特徴とする，弾球遊技機。」（特許請求の範囲）
・「第９図は，始動記憶カウンタと停止図柄データ記憶エリアと別エリアとの記憶情報の関係を示す説明図である。
  まず電源投入時においては，始動入賞が発生していないために始動記憶カウンタは「０」となっており，停止図柄データ記憶エリアおよび別エリアには何も記憶されていない状態である。そして，１個目の始動入賞に伴って始動記憶カウンタが「１」となり，それに基づいて停止図柄データ記憶エリアのエリア５に，現在の停止図柄決定用カウンタのカウント値に対応する停止図柄データ「ａ」が記憶される（Ｓ６０参照）。そしてこの状態では停止図柄データ記憶エリアのエリア１〜４が空き状態となっているために，Ｓ６２に従って，停止図柄決定用カウンタの現在のカウント値に基づいて４回分の停止図柄データが決定されてエリア１〜４に記憶される。この状態が１回目始動入賞時の行に示されている。次に１回目可変開始時においては，前記Ｓ１８に従ってエリア１の停止図柄データ「ｂ」が別エリアに呼出されるとともに，Ｓ２０により停止図柄データ記憶エリアが１つずつシフトされる。その状態が１回目可変開始時の行に示されている。次に２個目始動入賞時においては，始動記憶カウンタの値が再び「１」となり，それに対応する停止図柄データ記憶エリアのエリア５に停止図柄決定用カウンタのカウント値に応じた停止図柄データ「ｆ」が記憶される。さらに３個目始動入賞時においては，始動記憶カウンタの値が「２」となり，それに対応する停止図柄データ記憶エリアのエリア６に停止図柄データ「ｇ」が記憶される。このように，始動入賞に伴って始動記憶カウンタが１ずつ加算され，その始動記憶カウンタのカウント値に応じた停止図柄データ記憶エリアのエリアに所定の停止図柄データが記憶され，可変表示装置の可変開始が行なわれる毎に停止図柄データ記憶エリアの記憶情報が１ずつ図示左方向にシフトされる。
　次に，４回目始動入賞時において，始動記憶カウンタが「２」となっており，それに応じたエリア６に記憶される停止図柄データが大当りの停止図柄データとなった場合には，前記Ｓ６５に従って，エリア４の停止図柄データ「ｆ」をリーチ目の停止図柄データに変更する処理がなされる。そして６回目の可変開始時においてはそのリーチ目が別エリアに記憶されることとなり，可変表示装置においてリーチ目の表示がなされる。次に，７個目始動入賞時において，始動記憶カウンタの値が「１」となっており，それに対応するエリア５の記憶される停止図柄データが中当りのとなった場合には，４回目始動入賞時と同様にエリア４の停止図柄データ「ｊ」をリーチ目の停止図柄データに変更する。そして，８回目可変開始時においては，前記大当りの停止図柄が別エリアに記憶され，可変表示装置の可変表示の最中に当り予告表示器５５（第１図参照）により当り予告がなされるとともに，その回の可変表示装置の停止時においては大当り目（たとえば「７７７」）の表示が行なわれる。
　次に，１０回目の可変開始時においては，前記リーチ目の停止図柄データが別エリアに記憶され，可変表示装置によりリーチ目が表示される。そして１１回目の可変開始時においては，可変表示の最中に前記当り予告表示器５５により当り予告の表示が行なわれるが，可変表示装置の停止時においては中当りの識別情報が表示される。なお，４回目始動入賞時および７回目始動入賞時においてそれぞれエリア４の停止図柄データ「ｆ」，「ｊ」をリーチ目の停止図柄データに変更しているが，この「ｆ」，「ｊ」が大当りまたは中当りの値であった場合にはリーチ目の変更は行なわれない（前記Ｓ６４参照）。」（第１３頁右下欄第７行〜第１４頁左下欄第１７行）
・「なお，１１回目可変開始時のように前兆パターン図柄が可変表示装置により表示された場合においても，その次の回の１２回目の可変開始時に示すように，可変表示装置の停止時の図柄が中当りの図柄となり，必ずしも大当りが発生しない場合がある。」（第１６頁右上欄第１１〜１６行）
・「さらに，前記２つの実施例においては，前兆報知手段により前兆が報知された場合または事前報知手段により報知が行なわれた場合に，必ず大当りが発生するのではなく，中当りや小当りとなり大当りが発生しない場合や，可変表示装置である定められた停止図柄で予告する場合において，偶然にその停止図柄になった場合のように全く大当りや中当りさらには小当りにならない場合が生ずるものを示した。しかし，本発明はこれに限らず，一旦前兆報知手段により前兆が報知された場合または事前報知手段により報知がなされた場合には，必ず大当りが発生するものであってもよい。また，中当りや小当りがなく大当りのみあるものであってもよい。」（第１６頁右下欄第１０行〜第１７頁左上欄第３行）
　
（２）甲３発明について 
　甲第３号証の上記記載事項を参酌すれば，甲第３号証には以下の発明（以下，「甲３発明」という。）が記載されていると認められる。 
「表示状態が変化する可変表示装置を有し，該可変表示装置の表示結果が予め定められた特定の表示態様となった場合に所定の遊技価値が付与可能となる遊技機であって，
　パチンコ玉が始動入賞口７内に入賞したことに基づき，可変表示装置４の識別情報を可変表示させて複数種類の表示態様を表示結果として導出表示させるとともに，可変表示装置４が可変表示中に再度パチンコ玉が始動入賞口７に入賞すれば，その始動入賞が記憶され，可変表示装置４が可変停止した後再度可変表示開始できる状態になってから前記始動入賞記憶に基づいて再度可変表示装置４を可変開始させ，
　パチンコ玉が始動入賞口７に入賞した時点におけるランダム１カウンタのカウント値が抽出されてメモリ内に記憶され，メモリは，始動入賞の古い順に抽出されたカウント値が抽出順序に従って記憶され，メモリ内の１番古いカウント値がＳ１により読出され，その読出されたカウント値（乱数）が，３のときにはＳ２以降の大当りを発生させるための制御がなされ，３以外のときにはＳ１６以降の外れとなる制御が行なわれ，
　Ｓ１６以降の外れとなる制御が行なわれるときには，Ｓ１８又はＳ３３でメモリ内のランダム１カウンタの値をチェックし，
　　（Ａ）記憶されているランダム１カウンタの値の中に「３」があるとき，すなわち，可変表示装置４の今回の可変表示が終了した以降の可変表示により大当りが発生する場合には，ランダム３カウンタのカウント値が０のときにはＳ２１又はＳ３４において「大当り予告２」を行なうこととし，ランダム３カウンタのカウント値が１又は２のときにはＳ２２で「リーチ予告」を行うこととするか，Ｓ２３又はＳ４０で「予告なし」とし，
　　（Ｂ）記憶されているランダム１カウンタの値の中に「３」がないときには，Ｓ２４で「リーチ予告」を行うこととするか，Ｓ２３で「予告なし」とし，
　「大当り予告２」を行うこととなった場合，
　　（Ａ）ランダム４のカウンタ値が０のときにはＳ２６又はＳ３７においてレール飾りランプ２１を可変表示装置の可変開始時から点滅させ，スピーカ３７から大当り予告音を発生させ，
　　（Ｂ）ランダム４カウンタの値が１のときにはＳ２７又はＳ３８において大当り予告２のときのＬＣＤ表示装置５の表示動作を行ない，
　大当りの発生することを事前に報知する，遊技機。」 
  
（３）対比 
　甲３発明について，以下のことがいえる。
ア．甲３発明の「表示状態が変化する可変表示装置」は，本件特許発明１の「表示状態が変化可能な可変表示装置」に相当する。
イ．甲３発明の「パチンコ玉が始動入賞口７内に入賞したことに基づき，可変表示装置４の識別情報を可変表示させて複数種類の表示態様を表示結果として導出表示させる」は，本件特許発明１の「所定の始動条件の成立を条件として前記可変表示装置を可変開始させた後，表示結果を導出表示させる」に相当し，甲３発明の「可変表示装置４が可変表示中に再度パチンコ玉が始動入賞口７に入賞すれば，その始動入賞が記憶され，可変表示装置４が可変停止した後再度可変表示開始できる状態になってから前記始動入賞記憶に基づいて再度可変表示装置４を可変開始させ」は，本件特許発明１の「前記始動条件が成立しても直ちに可変表示を開始できないときに前記可変表示を開始できるまで前記始動条件の成立を記憶し前記可変表示を開始できる状態になったときに記憶している前記始動条件の記憶数だけ前記可変表示制御を行なう」に相当する。そして，甲３発明は，そのような可変表示を制御するための手段すなわち可変表示制御手段を当然具備するものである。
ウ．甲３発明の「ランダム１カウンタのカウント値」は，３のときには大当りとなり，３以外のときには外れとなり，大当りの場合には特定の表示態様となるから，「可変表示装置の表示結果内容を決定」するものといえる。また，「ランダム１カウンタのカウント値」は，「パチンコ玉が始動入賞口７に入賞した時点における」ものがメモリ内に記憶されるとともに，メモリ内の１番古いカウント値が読出されて，大当りを発生させる（させない）制御が行われるのであるから，「可変開始する以前の段階から予め決定しておく」ものといえる。そうすると，甲３発明は，「可変表示装置の表示結果内容を可変表示装置が可変開始する以前の段階から予め決定しておく」ものであり，その決定を行う手段すなわち「表示結果内容事前決定手段」を当然具備するものである。
エ．甲３発明において，「Ｓ１６以降の外れとなる制御が行なわれるときには，Ｓ１８又はＳ３３でメモリ内のランダム１カウンタの値をチェック」するということは，その時開始される可変表示が外れとなる場合に，その時メモリ内に記憶されているランダム１カウンタの値をチェックすることである。
　そして，甲３発明においてパチンコ球が始動入賞口７に入って，その時抽出されメモリ内に記憶されるランダム１カウンタのカウント値が当りである場合は，本件特許発明１の「表示結果内容事前決定手段により表示結果内容を特定の表示態様に相当するものにする当り決定が行なわれた場合」に相当する。更に，その当り決定が行われる以前に既にメモリ内には外れに相当するカウント値が記憶されている場合に，その外れの可変表示が開始されるときには，Ｓ１，Ｓ１６以降の外れ処理が行われて「大当り予告２」が行われることになる。その「大当り予告２」を行うに際しては，Ｓ２６又はＳ３７における予告かＳ２７又はＳ３８における予告か，それ以外かが乱数で選択されるから，甲３発明は「特定の表示態様が表示されることを遊技者に予め定められた複数の報知態様のいずれかにて予告報知する」ものといえる。
　そうすると，甲３発明は，本件特許発明１の「前記表示結果内容事前決定手段により表示結果内容を特定の表示態様に相当するものにする当り決定が行なわれた場合に，該特定の表示態様が表示結果として導出表示される予定となっている回の可変表示以前の段階から，前記特定の表示態様が表示されることを遊技者に予め定められた複数の報知態様のいずれかにて予告報知する予告報知手段」に相当する構成を実質的に具備するものである。
オ．甲３発明は，「記憶されているランダム１カウンタの値の中に「３」があるとき」であっても，ランダム３カウンタのカウント値が１又は２のときには「大当り予告２」は行われないから，本件特許発明１の「前記表示結果内容事前決定手段により前記当り決定が行なわれた場合であっても前記検索処理の結果ある確率で前記複数の報知態様のいずれかによる予告報知を行なわない」に相当する構成を実質的に具備するものである。
　よって，本件特許発明１と甲３発明とは 
 「表示状態が変化可能な可変表示装置を有する遊技機であって，
　所定の始動条件の成立を条件として前記可変表示装置を可変開始させた後，表示結果を導出表示させる可変表示制御を行なう手段であって，前記始動条件が成立しても直ちに可変表示を開始できないときに前記可変表示を開始できるまで前記始動条件の成立を記憶し前記可変表示を開始できる状態になったときに記憶している前記始動条件の記憶数だけ前記可変表示制御を行なう可変表示制御手段と，
　前記可変表示装置の表示結果内容を該可変表示装置が可変開始する以前の段階から予め決定しておく表示結果内容事前決定手段と，
　前記表示結果内容事前決定手段により表示結果内容を特定の表示態様に相当するものにする当り決定が行なわれた場合に，該特定の表示態様が表示結果として導出表示される予定となっている回の可変表示以前の段階から，前記特定の表示態様が表示されることを遊技者に予め定められた複数の報知態様のいずれかにて予告報知する予告報知手段とを含み，
　該予告報知手段は，
  　前記表示結果内容事前決定手段により前記当り決定が行なわれた場合であっても前記検索処理の結果ある確率で前記複数の報知態様のいずれかによる予告報知を行なわないことを特徴とする，遊技機。」の点で一致し，以下の点で相違している。 
［相違点１］ 
　予告報知手段が，本件特許発明１では，複数のテーブル各々のデータを予告用乱数により検索する検索処理を行なうことにより前記複数の報知態様および報知しないことを含む複数の選択肢のいずれか１つを選択するとともに，前記複数のテーブルは，前記表示結果内容事前決定手段により前記当り決定が行なわれたときに前記複数の報知態様についての選択割合が異なるように設定された，前記始動条件の記憶数が所定数以上となっていることを条件に参照されるテーブルと前記始動条件の記憶数が前記所定数未満となっていることを条件に参照されるテーブルとを含み，前記複数のテーブルを使用した前記検索処理の結果，前記複数の報知態様のいずれか１つを選択したときに該報知態様での報知を行なうのに対し，甲３発明ではそのような構成を有していない点。
［相違点２］
　予告報知手段が，本件特許発明１では，前記表示結果内容事前決定手段により表示結果内容を前記特定の表示態様に相当しないものにする外れ決定が行なわれた場合であっても前記検索処理の結果ある確率で前記複数の報知態様のいずれかによる予告報知と同様の報知を行なうのに対し，甲３発明ではそのような構成を有していない点。
　
（４）相違点についての検討 
［相違点１］について
　請求人は，乱数値と報知態様との関係を関係をテーブルにおいて対応付けておくことは制御の分野で周知技術であり，予め準備しておいた対応したテーブルから，取得した乱数値に対応する報知態様がどれであるかを特定し，特定した報知態様での予告報知を実行することは周知慣用技術である旨主張しているが，予め準備したテーブルを用いて乱数で特定した報知態様で予告報知することが周知技術であること示す証拠は何ら提出されていない。
　また，仮に上記の点が周知技術であって甲３発明に適用したとしても，始動条件の記憶数に応じてテーブルを区分けする点の構成は提示された証拠には何ら開示されていないのであるから，「テーブル各々のデータを予告用乱数により検索する検索処理を行なうことにより前記複数の報知態様および報知しないことを含む複数の選択肢のいずれか１つを選択する」ことが容易になし得たといえる限りで，相違点１に係る本件特許発明１の「複数のテーブルは，前記表示結果内容事前決定手段により前記当り決定が行なわれたときに前記複数の報知態様についての選択割合が異なるように設定された，前記始動条件の記憶数が所定数以上となっていることを条件に参照されるテーブルと前記始動条件の記憶数が前記所定数未満となっていることを条件に参照されるテーブルとを含」むとの構成を容易になし得たものとすることはできない。
　また，請求人の挙げた他の甲第４号証にも，相違点１について，これを示唆する記載は見あたらない。
　そして，上記相違点１に係る本件特許発明１の構成によって，「可変表示装置による可変表示の面白さを十分に演出し，遊技者の期待感および興趣をより一層向上させることのできる」という訂正明細書に記載の作用効果を奏するものである。
　
［相違点２］について
　甲第４号証の「前兆報知手段により前兆が報知された場合または事前報知手段により報知が行なわれた場合に，必ず大当りが発生するのではなく，中当りや小当りとなり大当りが発生しない場合や，可変表示装置である定められた停止図柄で予告する場合において，偶然にその停止図柄になった場合のように全く大当りや中当りさらには小当りにならない場合が生ずるものを示した。」及び「中当りや小当りがなく大当りのみあるものであってもよい。」の記載によれば，遊技機において外れ決定が行われた場合であっても当り決定がされた場合の予告報知と同様の報知を行なうことは甲第４号証に記載されている。
　そして，甲第４号証に記載された技術的事項は，予告報知を行う点で共通しているから，甲３発明に組み合わせることに技術的困難性はないから，甲３発明に甲第４号証に記載された技術的事項を適用し，相違点２に係る本件特許発明１の構成とすることは当業者にとって想到容易である。
　
（５）小括 
　以上によれば，本件特許発明１は，甲３発明及び甲第４号証に記載された技術事項に基づいて当業者が容易に想到できたものとすることはできず，本件特許発明１の本件特許は，特許法２９条２項の規定に違反してされたものでない。 
　また，本件特許発明２は，本件特許発明１に限定を付したものであるから，当業者が容易に想到できたものとすることはできず，本件特許発明２の本件特許は，特許法２９条２項の規定に違反してされたものでない。
　したがって，無効理由２は理由がない。 
　
第６．むすび 
 　 
　以上のとおりであるから，本件特許は，無効理由１，２に理由がないから，請求人の主張及び証拠方法によっては，無効とすることができない。 　 
　審判に関する費用については，特許法１６９条２項の規定で準用する民事訴訟法６１条の規定により，全額を請求人が負担すべきものとする。 
 　 
　よって，結論のとおり審決する。